【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
(i) 少なくとも1種のエチレン性不飽和カルボン酸；
(ii) 場合により少なくとも1種の非イオン性エチレン性不飽和界面活性剤モノマー、
(iii) 少なくとも1種のC1-C2-アルキルメタクリレート、及び/又は
(iv) 少なくとも1種のC2-C4-アルキルアクリレート(アルキルアクリレートのアルキル基の数を平均したアルキル鎖長は2.1〜4.0である)；
を、少なくとも1個のXH基(Xは、O、P、N及びSからなる群から選択される)を含む炭化水素の存在下で重合することにより得ることができるレオロジー改変剤。
【請求項２】
前記炭化水素が、置換されていてもよいオリゴ糖及び/又は多糖である、請求項１に記載のレオロジー改変剤。
【請求項３】
前記炭化水素が、置換されていてもよいβ-1,4-D-グルコピラノシドである、請求項１又は２に記載のレオロジー改変剤。
【請求項４】
前記炭化水素が、カルボキシメチルセルロース及び/又はデンプンである、請求項１〜３のいずれか1項に記載のレオロジー改変剤。
【請求項５】
非イオン性エチレン性不飽和界面活性剤モノマーが、一般式(I)：
R-O-(CH2-CHR’-O)n-CO-CR”=CH2  (I)
(式中、Rは、C6-C30-アルキルであり、
R’は、水素又はメチルであり、
R”は、水素又はメチルであり、
nは、2〜100の整数である)
を有する、請求項１〜４のいずれか1項に記載のレオロジー改変剤。
【請求項６】
エチレン性不飽和カルボン酸が、アクリル酸、メタクリル酸、イタコン酸及びマレイン酸から選択される、請求項１〜５のいずれか1項に記載のレオロジー改変剤。
【請求項７】
コポリマーが、コポリマーの総重量に対して5〜85重量％のn-ブチルアクリレートの共重合単位を含む、請求項１〜６のいずれか1項に記載のレオロジー改変剤。
【請求項８】
アニオン性及び/又は非イオン性乳化剤をさらに含む、請求項１〜７のいずれか1項に記載のレオロジー改変剤。
【請求項９】
乳化剤が、一般式(II)：
R-O-(CH2-CHR'-O)n-X  (II)
(式中、Rは、C6-C30-アルキルであり、
R'は、水素又はメチルであり、
Xは、水素又はSO3Mであり、
Mは、水素又はアルカリ金属であり、
nは、2〜100の整数である)
を有する、請求項８に記載のレオロジー改変剤。
【請求項１０】
炭化水素が、コポリマーの総重量に対して1〜50重量％、好ましくは5〜20重量％の量で存在する、請求項１〜９のいずれか1項に記載のレオロジー改変剤。
【請求項１１】
請求項１〜１０のいずれか1項に定義されるレオロジー改変剤と、活性物質、酵素、香料、医薬品、有機粒子、顔料、繊維、殺生物剤、除草剤及び殺菌剤で作製される気泡、ナノ粒子、マイクロカプセルからなる群から選択される少なくとも1種の成分とを含む液体製剤。
【請求項１２】
液体洗剤中の粒子を安定化させるための、請求項１〜１０のいずれか1項に定義されるレオロジー改変剤の使用。
【請求項１３】
請求項１〜１０のいずれか1項に定義される少なくとも1種のレオロジー改変剤、
少なくとも1種の界面活性剤、
水を含む液体連続相、及び
前記液体連続相に分散している少なくとも1種の成分
を含む液体洗剤組成物。
【請求項１４】
前記連続相が前記レオロジー改変剤を含む、請求項１３に記載の液体洗剤組成物。
【請求項１５】
少なくとも1種のアニオン性界面活性剤及び少なくとも1種の非イオン性界面活性剤を含む、請求項１３又は１４のいずれか1項に記載の液体洗剤組成物。
【請求項１６】
アニオン性界面活性剤が、いずれの場合も全液体洗浄剤又は清浄剤に対して、2〜20重量％、好ましくは3〜15重量％の総量で含まれる、請求項１３〜１５のいずれか1項に記載の液体洗剤組成物。
【請求項１７】
非イオン性界面活性剤が、いずれの場合も全液体洗浄剤又は清浄剤に対して、1〜10重量％、好ましくは1〜7重量％の総量で含まれる、請求項１３〜１６のいずれか1項に記載の液体洗剤組成物。
【請求項１８】
少なくとも1種の無機塩を付加的に含む、請求項１３〜１７のいずれか1項に記載の液体洗剤組成物。
【請求項１９】
液体洗剤組成物の全量に対して、0.1〜1重量％、好ましくは0.1％〜0.7重量％の少なくとも1種の無機塩を含む、請求項１８に記載の液体洗剤組成物。
【請求項２０】
前記液体連続相に分散している成分として、微粒子固体の粒子、好ましくはマイクロカプセル及び/又は顔料を含む、請求項１３〜１９のいずれか1項に記載の液体洗剤組成物。
【請求項２１】
前記微粒子固体の粒子、好ましくはマイクロカプセル及び/又は顔料が、0.05〜500μm、好ましくは5〜150μm、特に好ましくは10〜100μmの平均粒径X50,3を有する、請求項２０に記載の液体洗剤組成物。
【手続補正２】
【補正対象書類名】明細書
【補正対象項目名】０１５１
【補正方法】変更
【補正の内容】
【０１５１】
【表４】
2018502207.tif 000001
2018502207.tif 000002
（付記）
（付記１）
(i) 少なくとも1種のエチレン性不飽和カルボン酸；
(ii) 場合により少なくとも1種の非イオン性エチレン性不飽和界面活性剤モノマー、
(iii) 少なくとも1種のC1-C2-アルキルメタクリレート、及び/又は
(iv) 少なくとも1種のC2-C4-アルキルアクリレート(アルキルアクリレートのアルキル基の数を平均したアルキル鎖長は2.1〜4.0である)；
を、少なくとも1個のXH基(Xは、O、P、N及びSからなる群から選択される)を含む炭化水素の存在下で重合することにより得ることができるレオロジー改変剤。
（付記２）
前記炭化水素が、置換されていてもよいオリゴ糖及び/又は多糖である、付記１に記載のレオロジー改変剤。
（付記３）
前記炭化水素が、置換されていてもよいβ-1,4-D-グルコピラノシドである、付記１又は２に記載のレオロジー改変剤。
（付記４）
前記炭化水素が、カルボキシメチルセルロース及び/又はデンプンである、付記１〜３のいずれか1つに記載のレオロジー改変剤。
（付記５）
非イオン性エチレン性不飽和界面活性剤モノマーが、一般式(I)：
R-O-(CH2-CHR’-O)n-CO-CR”=CH2  (I)
(式中、Rは、C6-C30-アルキルであり、
R’は、水素又はメチルであり、
R”は、水素又はメチルであり、
nは、2〜100の整数である)
を有する、付記１〜４のいずれか1つに記載のレオロジー改変剤。
（付記６）
エチレン性不飽和カルボン酸が、アクリル酸、メタクリル酸、イタコン酸及びマレイン酸から選択される、付記１〜５のいずれか1つに記載のレオロジー改変剤。
（付記７）
コポリマーが、コポリマーの総重量に対して5〜85重量％のn-ブチルアクリレートの共重合単位を含む、付記１〜６のいずれか1つに記載のレオロジー改変剤。
（付記８）
アニオン性及び/又は非イオン性乳化剤をさらに含む、付記１〜７のいずれか1つに記載のレオロジー改変剤。
（付記９）
乳化剤が、一般式(II)：
R-O-(CH2-CHR'-O)n-X  (II)
(式中、Rは、C6-C30-アルキルであり、
R'は、水素又はメチルであり、
Xは、水素又はSO3Mであり、
Mは、水素又はアルカリ金属であり、
nは、2〜100の整数である)
を有する、付記８に記載のレオロジー改変剤。
（付記１０）
炭化水素が、コポリマーの総重量に対して1〜50重量％、好ましくは5〜20重量％の量で存在する、付記１〜９のいずれか1つに記載のレオロジー改変剤。
（付記１１）
付記１〜１０のいずれか1項に定義されるレオロジー改変剤と、活性物質、酵素、香料、医薬品、有機粒子、顔料、繊維、殺生物剤、除草剤及び殺菌剤で作製される気泡、ナノ粒子、マイクロカプセルからなる群から選択される少なくとも1種の成分とを含む液体製剤。
（付記１２）
液体洗剤中の粒子を安定化させるための、付記１〜１０のいずれか1つに定義されるレオロジー改変剤の使用。
（付記１３）
付記１〜１０のいずれか1項に定義される少なくとも1種のレオロジー改変剤、
少なくとも1種の界面活性剤、
水を含む液体連続相、及び
前記液体連続相に分散している少なくとも1種の成分
を含む液体洗剤組成物。
（付記１４）
前記連続相が前記レオロジー改変剤を含む、付記１３に記載の液体洗剤組成物。
（付記１５）
少なくとも1種のアニオン性界面活性剤及び少なくとも1種の非イオン性界面活性剤を含む、付記１３又は１４のいずれか1つに記載の液体洗剤組成物。
（付記１６）
アニオン性界面活性剤が、いずれの場合も全液体洗浄剤又は清浄剤に対して、2〜20重量％、好ましくは3〜15重量％の総量で含まれる、付記１３〜１５のいずれか1つに記載の液体洗剤組成物。
（付記１７）
非イオン性界面活性剤が、いずれの場合も全液体洗浄剤又は清浄剤に対して、1〜10重量％、好ましくは1〜7重量％の総量で含まれる、付記１３〜１６のいずれか1つに記載の液体洗剤組成物。
（付記１８）
少なくとも1種の無機塩を付加的に含む、付記１３〜１７のいずれか1つに記載の液体洗剤組成物。
（付記１９）
液体洗剤組成物の全量に対して、0.1〜1重量％、好ましくは0.1％〜0.7重量％の少なくとも1種の無機塩を含む、付記１８に記載の液体洗剤組成物。
（付記２０）
前記液体連続相に分散している成分として、微粒子固体の粒子、好ましくはマイクロカプセル及び/又は顔料を含む、付記１３〜１９のいずれか1つに記載の液体洗剤組成物。
（付記２１）
前記微粒子固体の粒子、好ましくはマイクロカプセル及び/又は顔料が、0.05〜500μm、好ましくは5〜150μm、特に好ましくは10〜100μmの平均粒径X50,3を有する、付記２０に記載の液体洗剤組成物。